(57)【要約】【課題】部品数が増加することなく、ケーシングの開口からケーシング内部に水が浸入することを確実に防ぐことができる室外ユニットの開口カバーを提供する。【解決手段】閉鎖弁カバー６は、ケーシング３１を有し電装品ユニット３５を収納している室外ユニット３において、電装品ユニット３５の近傍に位置するケーシング３１の開口３１３に取り付けられる。閉鎖弁カバー６は、カバー本体６１と、リブ６２とを備える。カバー本体６１は、ケーシング３１の開口３１３を覆う。リブ６２は、カバー本体６１の周縁部の少なくとも一部に設けられ、カバー本体６１側から開口３１３の周囲部分３１３ａ側に向けて延びている。そして、リブ６２は、カバー本体６１がケーシング３１の開口３１３を覆うように配置された際、開口３１３の周囲部分３１３ａに押し当てられて変形する。【選択図】図６
2010151412.tif 000002
【特許請求の範囲】
【請求項１】
ケーシング（３１）を有し、電装品（３５）を収納している室外ユニット（３）において、前記電装品（３５）の近傍に位置する前記ケーシング（３１）の端子接続部（３５ｃ）用の開口（３１３）に取り付けられる前記室外ユニットの開口カバー（６）であって、
前記ケーシング（３１）の前記開口（３１３）を覆うカバー本体（６１，１６１，２６１，３６１，４６１）と、
前記カバー本体（６１，１６１，２６１，３６１，４６１）の周縁部の少なくとも一部に設けられ、前記カバー本体（６１，１６１，２６１，３６１，４６１）側から前記開口（３１３）の周囲部分（３１３ａ）側に向けて延びるリブ（６２，１６２，２６２，３６２，４６２）と、
を備え、
前記リブ（６２，１６２，２６２，３６２，４６２）は、前記カバー本体（６１，１６１，２６１，３６１，４６１）が前記ケーシング（３１）の前記開口（３１３）を覆うように配置された際、前記開口（３１３）の前記周囲部分（３１３ａ）に押し当てられて変形する、
室外ユニットの開口カバー（６，１０６，２０６，３０６，４０６）。
【請求項２】
前記リブ（６２，１６２，２６２，３６２）は、前記開口（３１３）の前記周囲部分（３１３ａ）に押し当てられて弾性変形する、
請求項１に記載の室外ユニットの開口カバー（６，１０６，２０６，３０６）。
【請求項３】
前記開口（３１３）の前記周囲部分（３１３ａ）のうち前記リブ（６２）の当接部分（３１３ｂ）は、前記開口（３１３）が形成されている前記ケーシング（３１）の面に対し第１所定角度（α）傾斜している、
請求項２に記載の室外ユニットの開口カバー（６）。
【請求項４】
前記リブ（１６２）は、前記開口（３１３）の前記周囲部分（３１３ａ）に垂直となる方向に対して第２所定角度（β）傾斜する方向に延びている、
請求項２に記載の室外ユニットの開口カバー（１０６）。
【請求項５】
前記リブ（２６２）は、前記開口（３１３）の前記周囲部分（３１３ａ）に押し当てられて収縮する蛇腹部を有する、
請求項２に記載の室外ユニットの開口カバー（２０６）。
【請求項６】
前記リブ（５６２）は、所定の曲率半径で湾曲して延びている、
請求項２に記載の室外ユニットの開口カバー（５０６）。
【請求項７】
前記リブ（４６２）は、前記開口（３１３）の前記周囲部分（３１３ａ）に押し当てられて塑性変形する、
請求項１に記載の室外ユニットの開口カバー（４０６）。
【請求項８】
前記リブ（４６２）は、前記カバー本体（４６１）側の第１部分（４６２ａ）と、前記リブ（４６２）の先端側の第２部分（４６２ｂ）とを有し、
前記リブ（４６２）の前記第１部分（４６２ａ）の横断面は、前記リブ（４６２）の前記第２部分（４６２ｂ）の横断面よりも面積が大きい、
請求項７に記載の室外ユニットの開口カバー（４０６）。
【請求項９】
前記リブ（６２，１６２，２６２，３６２，４６２）が、薄肉状に形成されている、
請求項２〜８のいずれかに記載の室外ユニットの開口カバー（６，１０６，２０６，３０６，４０６）。
【請求項１０】
前記カバー本体（６１，１６１，２６１，３６１，４６１）と前記リブ（６２，１６２，２６２，３６２，４６２）とが一体成形されている、
請求項１〜９のいずれかに記載の室外ユニットの開口カバー（６，１０６，２０６，３０６，４０６）。
【発明の詳細な説明】
【技術分野】
【０００１】
本発明は、室外ユニットの開口カバーに関する。
【背景技術】
【０００２】
空気調和装置の室外ユニットは、主として、ケーシング、圧縮機、室外ファン、制御基板、閉鎖弁等を備えている。ケーシングの内部は、仕切板によって機械室と送風室とに分割されており、圧縮機、制御基板及び閉鎖弁は、機械室側に設置され、室外ファンは、送風室側に設置されている。
【０００３】
また、ケーシングの機械室側の部分のうち、閉鎖弁付近及び制御基板付近には、開口が設けられている。このようにケーシングに開口が設けられていると、開口を介して外部からの水がケーシング内部に浸入してしまうため、一般的には、当該開口を塞ぐべく、開口にはケーシングの外側から開口用カバーが取り付けられている。しかし、開口用カバーがケーシングに取り付けられたとしても、開口用カバーとケーシングとの間には隙間ができてしまい、開口用カバーが開口を完全に塞ぐことは困難となっている。従って、開口用カバーがケーシングに取り付けられていても、外部からの水は、ケーシングと開口用カバーとの間の隙間を介してケーシング内部に浸入する恐れがある。特に、水が制御基板に接触すると、制御基板における各種制御回路に不具合が生じてしまう恐れがある。
【０００４】
なお、ケーシングと開口用カバーとの隙間に水が浸入するのを防止する方法としては、開口用カバーとケーシングとの隙間にシール部材を取り付ける方法が知られている（特許文献１）。また、水の制御基板への接触を防止する方法としては、制御基板に防水用カバーをかぶせる方法が知られている（特許文献２）。
【特許文献１】特開平１１−１４０９９号公報
【特許文献２】特開２００１−９９４４８号公報
【発明の開示】
【発明が解決しようとする課題】
【０００５】
しかしながら、特許文献１に係る方法では、開口用カバーとケーシングとの隙間を塞ぐように形作られたシール部材が新たに必要となるため、部品数が多くなると共に、コストがかかってしまう。また、特許文献２に係る方法では、制御基板にかぶせるための防水用カバーを新たに設ける必要があるため、室外ユニットを組み立てる際の部品数が多くなってしまうと共に、コストがかかってしまう。
【０００６】
そこで、本発明は、部品数が増加することなく、ケーシングの開口からケーシング内部に水が浸入することを確実に防ぐことができる室外ユニットの開口カバーを提供することを目的とする。
【課題を解決するための手段】
【０００７】
発明１に係る室外ユニットの開口カバーは、ケーシングを有し電装品を収納している室外ユニットにおいて、電装品の近傍に位置するケーシングの端子接続部用の開口に取り付けられる開口カバーである。この開口カバーは、カバー本体と、リブとを備える。カバー本体は、ケーシングの開口を覆う。リブは、カバー本体の周縁部の少なくとも一部に設けられ、カバー本体側から開口の周囲部分側に向けて延びている。そして、リブは、カバー本体がケーシングの開口を覆うように配置された際、開口の周囲部分に押し当てられて変形する。
【０００８】
この室外ユニットの開口カバーによると、カバー本体がケーシングの開口を覆うように配置された際（即ち、開口カバー装着の際）、リブは、ケーシングの開口の周囲部分に押し当てられて変形する。これにより、ケーシングの開口はリブによってシールされ、ケーシング内部には水が浸入にくくなる。従って、開口カバーのみによって安価に、開口を介してケーシング内部に水が浸入するのを防ぐことができる。
【０００９】
発明２に係る室外ユニットの開口カバーは、発明１に係る室外ユニットの開口カバーであって、リブは、開口の周囲部分に押し当てられて弾性変形する。
【００１０】
この室外ユニットの開口カバーによると、開口カバー装着の際、リブは、ケーシングにおける開口の周囲部分に押し当てられて弾性変形する。これにより、リブは例えば撓みながらケーシングにおける開口の周囲部分に当接した状態となり、リブとケーシングとの間には隙間がほぼない状態となる。従って、外部からケーシング内部に浸入しようとする水は、リブによってせき止められる。
【００１１】
発明３に係る室外ユニットの開口カバーは、発明２に係る室外ユニットの開口カバーであって、開口の周囲部分のうちリブの当接部分は、開口が形成されているケーシングの面に対し、第１所定角度傾斜している。
【００１２】
この室外ユニットの開口カバーによると、開口の周囲部分のうちリブの当接部分は、開口が形成されているケーシングの面、つまり開口カバーが配置される面に対し第１所定角度傾斜している。これにより、開口カバー装着の際、リブは、開口の周囲部分における傾斜部に沿って弾性変形する。つまり、この開口カバーによると、リブは、弾性変形し易くなる。
【００１３】
発明４に係る室外ユニットの開口カバーは、発明２に係る室外ユニットの開口カバーであって、リブは、開口の周囲部分に垂直となる方向に対して、第２所定角度傾斜する方向に延びている。
【００１４】
この室外ユニットの開口カバーによると、リブは、開口の周囲部分に垂直となる方向に対して第２所定角度傾斜する方向に延びている。そのため、開口カバー装着の際、リブは、開口の周囲部分に押し当てられ、より弾性変形し易くなる。
【００１５】
発明５に係る室外ユニットの開口カバーは、発明２に係る室外ユニットの開口カバーであって、リブは、開口の周囲部分に押し当てられて収縮する蛇腹部を有する。
【００１６】
この室外ユニットの開口カバーによると、開口カバー装着の際、リブが開口の周囲部分に押し当てられ、リブの蛇腹部は収縮する。つまり、リブは、蛇腹部を有するため、より弾性変形し易くなる。
【００１７】
発明６に係る室外ユニットの開口カバーは、発明２に係る室外ユニットの開口カバーであって、リブは、所定の曲率半径で湾曲して延びている。
【００１８】
この室外ユニットの開口カバーによると、リブが湾曲形状を有しているため、開口カバー装着の際、リブが開口の周囲部分に押し当てられ、より弾性変形し易くなる。
【００１９】
発明７に係る室外ユニットの開口カバーは、発明１に係る室外ユニットの開口カバーであって、リブは、開口の周囲部分に押し当てられて塑性変形する。
【００２０】
この室外ユニットの開口カバーによると、開口カバー装着の際、リブは、ケーシングにおける開口の周囲部分に押し当てられて塑性変形する。これにより、リブは、ケーシングにおける開口の周囲部分と完全に当接した状態なり、リブとケーシングとの間には隙間がほぼない状態となる。従って、外部からケーシング内部に浸入しようとする水は、リブによってせき止められる。
【００２１】
発明８に係る室外ユニットの開口カバーは、発明７に係る室外ユニットの開口カバーであって、リブは、カバー本体側の第１部分と、リブの先端側の第２部分とを有する。そして、リブの第１部分の横断面は、リブの第２部分の横断面よりも面積が大きい。
【００２２】
この室外ユニットの開口カバーによると、リブの先端部分の横断面は、カバー本体側の横断面よりも小さい。そのため、開口カバー装着の際、リブは、ケーシングにおける開口の周囲部分に押し当てられ、より塑性変形し易くなる。
【００２３】
発明９に係る室外ユニットの開口カバーは、発明２〜８のいずれかに係る室外ユニットの開口カバーであって、リブが、薄肉状に形成されている。
【００２４】
この室外ユニットの開口カバーによると、リブが薄肉状に形成されている。そのため、開口カバー装着の際、リブは開口の周囲部分に押し当てられ、容易に弾性変形または塑性変形することができる。
【００２５】
発明１０に係る室外ユニットの開口カバーは、発明１〜９のいずれかに係る室外ユニットの開口カバーであって、カバー本体とリブとが一体成形されている。
【００２６】
この室外ユニットの開口カバーによると、カバー本体とリブとは、例えばゴム等であるエラストマーで一体形成される。これにより、カバー本体とリブとを同時に成形することができ、製造コストを抑えることができる。
【発明の効果】
【００２７】
発明１に係る室外ユニットの開口カバーによると、開口カバーのみによって安価に、開口を介してケーシング内部に水が浸入するのを防ぐことができる。
【００２８】
発明２に係る室外ユニットの開口カバーによると、外部からケーシング内部に浸入しようとする水は、リブによってせき止められる。
【００２９】
発明３に係る室外ユニットの開口カバーによると、リブは、弾性変形し易くなる。
【００３０】
発明４に係る室外ユニットの開口カバーによると、開口カバー装着の際、リブは、開口の周囲部分に押し当てられ、より弾性変形し易くなる。
【００３１】
発明５に係る室外ユニットの開口カバーによると、リブは、蛇腹部によって、より弾性変形し易くなる。
【００３２】
発明６に係る室外ユニットの開口カバーによると、リブが湾曲形状を有しているため、開口カバー装着の際、リブが開口の周囲部分に押し当てられ、より弾性変形し易くなる。
【００３３】
発明７に係る室外ユニットの開口カバーによると、外部からケーシング内部に浸入しようとする水は、リブによってせき止められる。
【００３４】
発明８に係る室外ユニットの開口カバーによると、開口カバー装着の際、リブは、ケーシングにおける開口の周囲部分に押し当てられ、より塑性変形し易くなる。
【００３５】
発明９に係る室外ユニットの開口カバーによると、開口カバー装着の際、リブは開口の周囲部分に押し当てられ、容易に弾性変形または塑性変形することができる。
【００３６】
発明１０に係る室外ユニットの開口カバーによると、カバー本体とリブとを同時に成形することができ、製造コストを抑えることができる。
【発明を実施するための最良の形態】
【００３７】
以下、本発明に係る室外ユニットの開口カバーについて、図面を用いて詳細に説明する。
【００３８】
＜第１実施形態＞
（１）構成
図１は、本発明の第１実施形態に係る空気調和装置１の外観図である。図１の空気調和装置１は、室内の壁面等に取り付けられている室内ユニット２と、室外に設置されている室外ユニット３とに分かれて構成されており、室内の冷房運転や暖房運転等を行うことができる。
【００３９】
室内ユニット２の内部には、室内熱交換器（図示せず）等が収納され、室外ユニット３の内部には室外熱交換器３２（後述）や圧縮機３３（後述）等が収納されている。そして、室内ユニット２の室内熱交換器及び室外ユニット３の室外熱交換器３２は、冷媒配管４を介して接続されている。
【００４０】
（１−１）室外ユニットの構成
次に、本実施形態に係る室外ユニット３の構成について、図２及び図３を用いて説明する。室外ユニット３は、主として、ケーシング３１、室外熱交換器３２、圧縮機３３、電装品ユニット３５、室外ファン３７、及び閉鎖弁カバー６（開口カバーに相当）を備えている。尚、以下の説明においては、「上」、「下」、「左」、「右」、「鉛直」等の方向を示す表現を適宜用いているが、これらは、室外ユニット３が図１に示すように室外に取り付けられ、通常使用される状態での各方向を表す。
【００４１】
〔ケーシング〕
ケーシング３１は、略直方体の形状を有しており、板金及び樹脂によって形成されている。ケーシング３１は、図２に示すように、ケース本体３１１と、ケース側壁部３１２とを有する。ケーシング３１の内部は、図３に示すように、略鉛直に延びる仕切板３６により機械室Ｓ１と送風室Ｓ２とに分割されている。機械室Ｓ１には、圧縮機３３や電装品ユニット３５が設置され、送風室Ｓ２には、室外熱交換機３２や室外ファン３７が設置されている。
【００４２】
ケース本体３１１は、ケーシング３１内部に設置された圧縮機３３や室外熱交換機３２を覆う部材であって、図２に示すように、送風口３１１ａと吸気口（図示せず）とが形成されている。室外ユニット３の外部から吸気口を介してケース本体３１１内部に吸い込まれた空気は、送風口３１１ａに送られる。尚、送風口３１１ａ及び吸気口は、共にケーシング３１の送風室Ｓ２側部分に設けられている。ケース側壁部３１２は、ケース本体３１１の機械室Ｓ１側に配置されており、ケース側壁部３１２には、電装品ユニット３５に接続された各種配線、及び閉鎖弁３４を介して室外熱交換器３２に接続された冷媒配管４が露出するための開口３１３，３１４が形成されている。つまり、開口３１３は、ケース側壁部３１２のうち、電装品ユニット３５近傍に設けられており、開口３１４は、ケース側壁部３１２のうち、閉鎖弁３４近傍に設けられている。
【００４３】
尚、本実施形態に係るケース側壁部３１２は、開口３１３，３１４の周囲部分３１３ａ，３１４ａ（図６参照）を除き、ほぼ平らな形状を有している（図２）。ケース側壁部３１２のうち、開口３１３，３１４の周囲部分３１３ａ，３１４ａの少なくとも一部分は、図６（ａ）（ｂ）に示すように、ケース側壁部３１２の平らな部分に対し第１所定角度α傾斜している。特に、本実施形態では、周囲部分３１３ａ，３１４ａのうち、後述する閉鎖弁カバー６のリブ６２が当接する当接部分３１３ｂ，３１４ｂは、開口３１３，３１４側に近づく程低くなるように傾斜している。第１所定角度αとしては、例えば１０度〜７０度が挙げられ、本実施形態では、一例として第１所定角度αを３０度としている。
【００４４】
また、この開口３１３，３１４には、閉鎖弁カバー６が開口３１３，３１４を覆うようにして取り付けられるが、本実施形態に係る閉鎖弁カバー６の詳細については、後述する。
【００４５】
〔室外熱交換器〕
室外熱交換器３２は、吸気口を介してケース本体３１１内に吸い込まれてきた空気と熱交換を行うためのものである。室外熱交換器３２は、図３に示すように、略Ｌ字状の形状を有し、図３においてケーシング３１の左側面から背面に沿うように配置されている。このような室外熱交換器３２は、長手方向両端で複数回折り返されてなる伝熱管３２１と、伝熱管３２１が挿通される複数のフィン３２２とを有する。伝熱管３２１の内部には、冷媒配管４と同様、冷媒が流れる。
【００４６】
また、室外熱交換器３２の右側下部には、閉鎖弁３４が取り付けられる（図２）。この閉鎖弁３４を介して、室外熱交換器３２には、冷媒配管４を流れる冷媒が出入りする。
【００４７】
〔圧縮機〕
圧縮機３３は、冷媒配管４内を流れる冷媒を圧縮するためのものであって、図３に示すように、機械室Ｓ１内に配置されている。より具体的には、圧縮機３３は、電装品ユニット３５の下側に配置されている。このような圧縮機３３は、図示しない圧縮機用モータと接続されており、該圧縮機用モータを駆動源として駆動する。
【００４８】
〔電装品ユニット〕
電装品ユニット３５は、複数の電気部品が実装された制御基板３５ｂの他、変圧器として機能するリアクタ等を収納するためのものであって、図３に示すように、機械室Ｓ１において圧縮機３３の上側に配置されている。より具体的には、電装品ユニット３５は、ケーシング３１の開口３１３付近に配置されており、主として、支持部材３５ａ、制御基板３５ｂ及び端子接続部３５ｃとを含む。
【００４９】
支持部材３５ａは金属で構成されており、仕切板３６及び室外熱交換器３２を介してケーシング３１の一部に固定される。制御基板３５ｂは、支持部材３５ａに支持されている。ここで、制御基板３５ｂに実装されている複数の電気部品の種類としては、ＭＯＳトランジスタやパワートランジスタ、ダイオード、ＣＰＵ等が挙げられ、これらの各種部品により、制御基板３５ｂ上には圧縮機用モータや室外ファン３７用のファンモータ３７１を駆動させるための駆動用回路が構成されている。端子接続部３５ｃは、各種配線が接続されるためのものであって、支持部材３５ａのうち、ケース側壁部３１２の開口３１３部分に対応するようにして配置されている。端子接続部３５ｃに接続される配線の種類としては、制御基板３５ｂ上に構成された各種回路から出力される信号を室外ユニット３内の各種モータ（例えば、圧縮機用モータ、後述するファンモータ３７１など）や室内ユニット２に伝送するための信号用配線、電源を室外ユニット３内の各種モータ等に供給するための電源供給用配線などが挙げられる。
【００５０】
〔室外ファン〕
室外ファン３７は、送風室Ｓ２内の空気を室外ユニット３外部に送るためのものであって、図３に示すように、送風室Ｓ２に設けられている。室外ファン３７は、３枚の羽根を有するプロペラファンであって、送風室Ｓ２の空気を外部に排出可能なように、ケース本体３１１に形成された送風口３１１ａに対応する位置に設けられている。また、室外ファン３７の回転軸は、ファンモータ３７１の出力軸３７１ａに接続されており、室外ファン３７は、ファンモータ３７１を駆動源として回転することができる。
【００５１】
（２）閉鎖弁カバーの構成
次に、本実施形態に係る閉鎖弁カバー６について説明する。閉鎖弁カバー６は、ケース側壁部３１２の外側からケース側壁部３１２の開口３１３，３１４を覆うようにして取り付けられる部材である。閉鎖弁カバー６は、図４及び図５に示すように、カバー本体６１とリブと６２を有する。
【００５２】
カバー本体６１は、ケース側壁部３１２における２つの開口３１３，３１４を共に覆うことができるような形状を有している。具体的には、カバー本体６１は、縦方向についてはケース側壁部３１２のうち上部に位置する開口３１３の上端部分から下部に位置する開口３１４の下端部分にかけて延びており、横方向については、開口３１３，３１４の各右端部分及び左端部分にかけて延びている。更に、カバー本体６１は、該本体６１の周縁部がケース側壁部３１２（具体的には、開口３１３，３１４の周囲部分３１３ａ，３１４ａ）に当接するように、縦方向については開口３１３の上端部分及び開口３１４の下端部分よりも若干長く延びていると共に、横方向については各開口３１３，３１４の両端部分よりも若干長く延びている。そして、カバー本体６１は、開口３１４から冷媒配管４が突出しているのにあわせて（図２）、開口３１３を覆う部分よりも開口３１４を覆う部分の方が、室外ユニット３の外方に突出した形状となっている。このようなカバー本体６１は、閉鎖弁カバー６がケース側壁部３１２に取り付けられた際、開口３１３，３１４を覆うようにして配置される。尚、カバー本体６１の材質としては、エラストマー樹脂が挙げられる。
【００５３】
リブ６２は、カバー本体６１の周縁部に設けられており（図４）、閉鎖弁カバー６がケース側壁部３１２に取り付けられる際、カバー本体６１側から開口３１３，３１４の周囲部分３１３ａ、３１４ａ側に向けて延びている（図６（ａ））。より具体的には、リブ６２は、カバー本体６１に対し、略垂直となるように延びている（図５，図６）。また、リブ６２の長さは、閉鎖弁カバー６がケース側壁部３１２に取り付けられた際、カバー本体６１と開口３１３，３１４の周囲部分３１３ａ，３１４ａとの隙間の高さよりも長い。
【００５４】
尚、本実施形態に係るリブ６２は、カバー本体６１の周縁部のうち、冷媒配管４が外部に露出する部分６１ａを除き、カバー本体６１の周縁部に沿ってほぼ連続的に設けられている。そして、カバー本体６１と開口３１３，３１４の周囲部分３１３ａ，３１４ａとの隙間の高さが例えば１ｍｍであるとした場合、リブ６２は、約１．５ｍｍ〜５ｍｍ程度の高さを有する。また、リブ６２の材質としては、カバー本体６１と同様、エラストマー樹脂が挙げられ、カバー本体６１及びリブ６２は、金型等によって一体成形されている。
【００５５】
このようなリブ６２は、閉鎖弁カバー６がケース側壁部３１２に装着される際、開口３１３，３１４の周囲部分３１３ａ，３１４ａに押し当てられるようにして、周囲部分３１３ａ，３１４ａの一部分（具体的には、当接部分３１３ｂ，３１４ｂ）に接触する（図６）。特に、リブ６２は、既に述べたようにエラストマー樹脂で形成されており、当接部分３１３ｂ，３１４ｂは、ケース側壁部３１２の平らな面に対し第１所定角度α傾斜している。そのため、リブ６２は、図６（ｂ）に示すように、開口３１３，３１４の周囲部分３１３ａ，３１４ａに押し当てられると弾性変形するようになる。具体的には、リブ６２は、ケース側壁部３１２側の当接部分３１３ｂ，３１４ｂの傾斜方向に沿って撓んでいく。従って、リブ６２は、その先端部分ではなく側面部分が当接部分３１３ｂ，３１４ｂに当接するようになる。これにより、リブ６２及びケース側壁部３１２間には、リブ６２の変形により隙間のない状態となる。
【００５６】
（３）効果
（Ａ）
本実施形態に係る室外ユニット３の閉鎖弁カバー６によると、カバー本体６１がケース側壁部３１２の開口３１３，３１４を覆うように配置された際（即ち、閉鎖弁カバー６装着の際）、リブ６２は、ケース側壁部３１２の開口３１３，３１４の周囲部分３１３ａ，３１４ａに押し当てられて変形する。これにより、ケース側壁部３１２の開口３１３，３１４はリブ６２によってシールされ、ケーシング３１内部には水が浸入にくくなる。従って、閉鎖弁カバー６のみによって安価に、開口３１３，３１４を介してケーシング３１内部に水が浸入するのを防ぐことができる。
【００５７】
（Ｂ）
また、本実施形態に係る閉鎖弁カバー６によると、閉鎖弁カバー６装着の際、リブ６２は、ケース側壁部３１２における開口３１３，３１４の周囲部分３１３ａ，３１４ａに押し当てられて弾性変形する。これにより、リブ６２は撓みながら開口３１３，３１４の周囲部分３１３ａ，３１４ａに当接した状態となり、リブ６２とケース側壁部３１２との間には隙間がほぼない状態となる。従って、外部からケーシング３１内部に浸入しようとする水は、リブ６２によってせき止められる。
【００５８】
（Ｃ）
また、本実施形態に係る閉鎖弁カバー６によると、開口３１３，３１４の周囲部分３１３ａ，３１４ａのうちリブ６２の当接部分３１３ｂ，３１４ｂは、開口３１３，３１４が形成されているケース側壁部３１２の平らな面に対し第１所定角度α傾斜している。これにより、閉鎖弁カバー６装着の際、リブ６２は、開口３１３，３１４の周囲部分３１３ａ，３１４ａにおける傾斜に沿って弾性変形する。つまり、この閉鎖弁カバー６によると、リブ６２は、弾性変形し易くなる。
【００５９】
（Ｄ）
また、本実施形態に係る閉鎖弁カバー６によると、カバー本体６１とリブ６２とが一体成形されているため、製造コストを抑えることができる。
【００６０】
＜第２実施形態＞
上記第１実施形態では、ケース側壁部３１２側の当接部分３１３ｂ，３１４ｂが傾斜していることにより、閉鎖弁カバー６装着の際、リブ６２が当接部分３１３ｂ，３１４ｂに沿って弾性変形する場合について説明したが、本実施形態では、リブ６２を弾性変形させる他の例について説明する。
【００６１】
尚、本実施形態に係る空気調和装置の室外ユニットについては、第１実施形態に係る空気調和装置１の室外ユニット３と同様の構成を有しているため、以下では、室外ユニット３の構成の説明を省略すると共に、室外ユニット３における符号については、第１実施形態と同様の符号を用いることとする。以下、本実施形態の一特徴である閉鎖弁カバー１０６について説明する。
【００６２】
（１）閉鎖弁カバーの構成
図７（ａ）は、本実施形態に係る閉鎖弁カバー１０６がケース側壁部３１２の開口３１３，３１４に取り付けられる前の、閉鎖弁カバー１０６の断面概略図である。図７（ｂ）は、閉鎖弁カバー１０６がケース側壁部３１２の開口３１３，３１４に取り付けられた際の、閉鎖弁カバー１０６の断面概略図である。
【００６３】
図７（ａ）に係る閉鎖弁カバー１０６は、第１実施形態と同様、カバー本体１６１とリブ１６２とを有する。カバー本体１６１は、ケース側壁部３１２における２つの開口３１３，３１４を共にかつ十分に覆うことができるような形状及び大きさを有している。このようなカバー本体１６１は、閉鎖弁カバー１０６がケース側壁部３１２に取り付けられた際、開口３１３，３１４を覆うようにして配置される。カバー本体１６１の材質としては、第１実施形態と同様、エラストマー樹脂が挙げられる。
【００６４】
リブ１６２は、第１実施形態と同様、カバー本体１６１の周縁部に沿ってほぼ連続的に設けられており、閉鎖弁カバー１０６がケース側壁部３１２に取り付けられる際、カバー本体１６１側から開口３１３，３１４の周囲部分３１３ａ，３１４ａ側に向けて延びている。特に、本実施形態に係るリブ１６２は、開口３１３，３１４の周囲部分３１３ａ，３１４ａに垂直となる方向に対して第２所定角度β傾斜する方向に延びている（図７（ａ））。ここで、第２所定角度βの範囲としては、例えば１０度〜５０度が挙げられる。また、リブ１６２の長さは、カバー本体１６１と開口３１３，３１４の周囲部分３１３ａ，３１４ａとの隙間の高さと第２所定角度βとにより決定される。具体的には、リブ１６２は、閉鎖弁カバー１０６の装着時にリブ１６２の側面部分が開口３１３，３１４の周囲部分３１３ａ，３１４ａに十分当接するような長さを有する。尚、リブ１６２の材質としては、第１実施形態と同様、エラストマー樹脂が挙げられ、リブ１６２はカバー本体１６１と一体成形されている。
【００６５】
尚、本実施形態では、ケース側壁部３１２における開口３１３，３１４の周囲部分３１３ａ，３１４ａは、第１実施形態に係る図６のように傾斜しておらず、平らな状態となっている（図７（ａ）（ｂ））。
【００６６】
このようなリブ１６２は、閉鎖弁カバー１０６がケース側壁部３１２に装着される際、開口３１３，３１４の周囲部分３１３ａ，３１４ａに押し当てられると、図７（ｂ）に示すように弾性変形するようになる。つまり、リブ１６２は、リブ１６２の延びる方向（つまり、周囲部分３１３ａ，３１４ａに垂直となる方向に対して第２所定角度β傾斜する方向）に撓んでいく。従って、リブ１６２は、その先端部分ではなく側面部分が周囲部分３１３ａ，３１４ａに当接するようになり、リブ１６２とケース側壁部３１２との間には、リブ１６２の変形により隙間のない状態となる。
【００６７】
（２）効果
本実施形態に係る閉鎖弁カバー１０６によると、リブ１６２は、開口３１３，３１４の周囲部分３１３ａ，３１４ａに垂直となる方向に対して第２所定角度β傾斜する方向に延びている。そのため、閉鎖弁カバー１０６がケース側壁部３１２に装着された際、リブ１６２は、開口３１３，３１４の周囲部分３１３ａ，３１４ａに押し当てられ、より弾性変形し易くなる。
【００６８】
＜第３実施形態＞
次に、第３実施形態に係る閉鎖弁カバー２０６について説明する。
【００６９】
尚、本実施形態に係る空気調和装置の室外ユニットについては、第１実施形態に係る空気調和装置１の室外ユニット３と同様の構成を有しているため、以下では、室外ユニット３の構成の説明を省略すると共に、室外ユニット３における符号については、第１実施形態と同様の符号を用いることとする。以下、本実施形態の一特徴である閉鎖弁カバー２０６について説明する。
【００７０】
（１）閉鎖弁カバーの構成
図８（ａ）は、本実施形態に係る閉鎖弁カバー２０６がケース側壁部３１２の開口３１３，３１４に取り付けられる前の、閉鎖弁カバー２０６の断面概略図である。図８（ｂ）は、閉鎖弁カバー２０６がケース側壁部３１２の開口３１３，３１４に取り付けられた際の、閉鎖弁カバー２０６の断面概略図である。
【００７１】
図８（ａ）に係る閉鎖弁カバー２０６は、第１実施形態と同様、カバー本体２６１とリブ２６２とを有する。カバー本体２６１は、ケース側壁部３１２における２つの開口３１３，３１４を共にかつ十分に覆うことができるような形状及び大きさを有している。このようなカバー本体２６１は、閉鎖弁カバー２０６がケース側壁部３１２に取り付けられた際、開口３１３，３１４を覆うようにして配置される。カバー本体２６１の材質としては、第１実施形態と同様、エラストマー樹脂が挙げられる。
【００７２】
リブ２６２は、第１実施形態と同様、カバー本体２６１の周縁部に沿ってほぼ連続的に設けられており、閉鎖弁カバー２０６がケース側壁部３１２に取り付けられる際、カバー本体２６１側から開口３１３，３１４の周囲部分３１３ａ，３１４ａ側に向けて延びている。特に、本実施形態に係るリブ２６２は、図８（ａ）（ｂ）に示すように、蛇腹形状を有している。従って、リブ２６２は、閉鎖弁カバー２０６がケース側壁部３１２に装着される際、開口３１３，３１４の周囲部分３１３ａ，３１４ａに押し当てられると、図８（ｂ）に示すように、収縮するように弾性変形する。
【００７３】
ここで、リブ２６２の長さは、カバー本体２６１と開口３１３，３１４の周囲部分３１３ａ，３１４ａとの隙間の高さによって決定される。具体的には、リブ２６２は、閉鎖弁カバー２０６の装着時にリブ２６２が収縮して開口３１３，３１４の周囲部分３１３ａ，３１４ａに十分当接するような長さを有する。また、リブ２６２の材質としては、第１実施形態と同様、エラストマー樹脂が挙げられ、リブ２６２はカバー本体２６１と一体成形されている。
【００７４】
尚、本実施形態では、ケース側壁部３１２における開口３１３，３１４の周囲部分３１３ａ，３１４ａは、第２実施形態と同様、平らな状態となっている（図８（ａ）（ｂ））。
【００７５】
（２）効果
本実施形態に係る閉鎖弁カバー２０６によると、閉鎖弁カバー２０６がケース側壁部３１２に装着された際、リブ２６２が開口３１３，３１４の周囲部分３１３ａ，３１４ａに押し当てられ、リブ２６２は収縮し、リブ２６２とケース側壁部３１２との間には隙間がほぼない状態となる。従って、外部からケーシング３１内部に浸入しようとする水は、リブ２６２によってせき止められる。
【００７６】
尚、本実施形態では、リブ２６２自体が蛇腹状に形成されている場合について説明したが、図９に示すように、リブ２６２’は、少なくとも一部分が蛇腹形状であってもよい（つまり、リブ２６２’は、蛇腹部２６２ａ’を有する）。このような閉鎖弁カバー２０６’によると、閉鎖弁カバー２０６’がケース側壁部３１２に取り付けられた際、カバー本体２６１は、開口３１３，３１４を覆うようにして配置され、リブ２６２’は、蛇腹部２６２ａ’が収縮するようになる。
【００７７】
＜第４実施形態＞
次に、第４実施形態に係る閉鎖弁カバー３０６について説明する。
【００７８】
尚、本実施形態に係る空気調和装置の室外ユニットについては、第１実施形態に係る空気調和装置１の室外ユニット３と同様の構成を有しているため、以下では、室外ユニット３の構成の説明を省略すると共に、室外ユニット３における符号については、第１実施形態と同様の符号を用いることとする。以下、本実施形態の一特徴である閉鎖弁カバー３０６について説明する。
【００７９】
（１）閉鎖弁カバーの構成
図１０（ａ）は、本実施形態に係る閉鎖弁カバー３０６がケース側壁部３１２の開口３１３，３１４に取り付けられる前の、閉鎖弁カバー３０６の断面概略図である。図１０（ｂ）は、閉鎖弁カバー３０６がケース側壁部３１２の開口３１３，３１４に取り付けられた際の、閉鎖弁カバー３０６の断面概略図である。
【００８０】
図１０（ａ）に係る閉鎖弁カバー３０６は、第１実施形態と同様、カバー本体３６１とリブ３６２とを有する。カバー本体３６１は、ケース側壁部３１２における２つの開口３１３，３１４を共にかつ十分に覆うことができるような形状及び大きさを有している。このようなカバー本体３６１は、閉鎖弁カバー３０６がケース側壁部３１２に取り付けられた際、開口３１３，３１４を覆うようにして配置される。カバー本体３６１の材質としては、第１実施形態と同様、エラストマー樹脂が挙げられる。
【００８１】
リブ３６２は、第１実施形態と同様、カバー本体３６１の周縁部に沿ってほぼ連続的に設けられており、閉鎖弁カバー３０６がケース側壁部３１２に取り付けられる際、カバー本体３６１側から開口３１３，３１４の周囲部分３１３ａ，３１４ａ側に向けて延びている。特に、本実施形態に係るリブ３６２は、第１実施形態に係るリブ６２と同様に、ほぼ垂直方向に延びているが、第１実施形態に係るリブ６２よりも薄肉状に形成されている（図１０（ａ））。従って、リブ３６２は、閉鎖弁カバー３０６がケース側壁部３１２に装着される際、開口３１３，３１４の周囲部分３１３ａ，３１４ａに押し当てられると、図１０（ｂ）に示すように容易に撓むようになる（弾性変形）。
【００８２】
ここで、リブ３６２の長さは、カバー本体３６１と開口３１３，３１４の周囲部分３１３ａ，３１４ａとの隙間の高さによって決定される。具体的には、リブ３６２は、閉鎖弁カバー３０６の装着時にリブ３６２が開口３１３，３１４の周囲部分３１３ａ，３１４ａに十分当接するような長さを有する。また、リブ３６２の材質としては、第１実施形態と同様、エラストマー樹脂が挙げられ、リブ３６２は、カバー本体３６１と一体成形されている。
【００８３】
尚、本実施形態では、ケース側壁部３１２における開口３１３，３１４の周囲部分３１３ａ，３１４ａは、第２実施形態と同様、平らな状態となっている（図１０（ａ）（ｂ））。
【００８４】
（２）効果
本実施形態に係る閉鎖弁カバー３０６によると、リブ３６２が薄肉状に形成されているため、閉鎖弁カバー３０６がケース側壁部３１２に装着された際、リブ３６２は開口３１３，３１４の周囲部分３１３ａ，３１４ａに押し当てられ、容易に弾性変形する。従って、リブ３６２とケース側壁部３１２との間には隙間がほぼない状態となり、外部からケーシング３１内部に浸入しようとする水は、リブ３６２によってせき止められる。
【００８５】
＜第５実施形態＞
上記第１〜第４実施形態では、リブが弾性変形を行う場合について説明したが、以下では、リブが塑性変形を行うことで、リブとケース側壁部との間の隙間をなくすことができる閉鎖弁カバー４０６について説明する。
【００８６】
尚、本実施形態に係る空気調和装置の室外ユニットについては、第１実施形態に係る空気調和装置１の室外ユニット３と同様の構成を有しているため、以下では、室外ユニット３の構成の説明を省略すると共に、室外ユニット３における符号については、第１実施形態と同様の符号を用いることとする。以下、本実施形態の一特徴である閉鎖弁カバー４０６について説明する。
【００８７】
（１）閉鎖弁カバーの構成
図１１（ａ）は、本実施形態に係る閉鎖弁カバー４０６がケース側壁部３１２の開口３１３，３１４に取り付けられる前の、閉鎖弁カバー４０６の断面概略図である。図１１（ｂ）は、閉鎖弁カバー４０６がケース側壁部３１２の開口３１３，３１４に取り付けられた際の、閉鎖弁カバー４０６の断面概略図である。
【００８８】
図１１（ａ）に係る閉鎖弁カバー４０６は、第１実施形態と同様、カバー本体４６１とリブ４６２とを有する。カバー本体４６１は、ケース側壁部３１２における２つの開口３１３，３１４を共にかつ十分に覆うことができるような形状及び大きさを有している。このようなカバー本体４６１は、閉鎖弁カバー４０６がケース側壁部３１２に取り付けられた際、開口３１３，３１４を覆うようにして配置される。カバー本体４６１の材質としては、合成樹脂等が挙げられる。
【００８９】
リブ４６２は、第１実施形態と同様、カバー本体４６１の周縁部に沿ってほぼ連続的に設けられており、閉鎖弁カバー４０６がケース側壁部３１２に取り付けられる際、カバー本体４６１側から開口３１３，３１４の周囲部分３１３ａ，３１４ａ側に向けて延びている。具体的には、リブ４６２は、カバー本体４６１に対しほぼ垂直方向に延びている。
【００９０】
特に、本実施形態に係るリブ４６２は、図１２に示すように、カバー本体４６１側の第１部分４６２ａとリブ４６２の先端側の第２部分４６２ｂとを有しており、第１部分４６２ａの横断面の面積は、第２部分４６２ｂの横断面の面積よりも大きい。具体的には、リブ４６２の第１部分４６２ａは、その太さが約均一のままカバー本体４６１に対し略垂直に延びており、第２部分４６２ｂは、第１部分４６２ａ側から先端部に向かって除々に細くなっており、尖った形状を有している。
【００９１】
また、リブ４６２の長さは、カバー本体４６１と開口３１３，３１４の周囲部分３１３ａ，３１４ａとの隙間の高さによって決定される。具体的には、リブ４６２は、閉鎖弁カバー４０６の装着時にリブ４６２が開口３１３，３１４の周囲部分３１３ａ，３１４ａに十分当接するような長さを有する。例えば、カバー本体４６１と開口３１３，３１４の周囲部分３１３ａ，３１４ａとの隙間の高さが例えば１ｍｍであるとした場合、リブ４６２は、例えば約１．２ｍｍの高さを有するように形成される。この場合、第１部分４６２ａの高さは約１ｍｍ、第２部分４６２ｂの高さは約０．２ｍｍとなるように、第１部分４６２ａ及び第２部分４６２ｂが形成される。また、リブ４６２の材質としては、塑性変形のし易いものが挙げられ、例えばカバー本体４６１と同様、合成樹脂等が挙げられる。カバー本体４６１とリブ４６２とが同じ材質からなる場合には、カバー本体４６１及びリブ４６２は、一体成形されることができる。
【００９２】
上記リブ４６２は、閉鎖弁カバー４０６がケース側壁部３１２に装着される際、開口３１３，３１４の周囲部分３１３ａ，３１４ａに押し当てられる。すると、図１１（ｂ）に示すように、リブ４６２の第２部分４６２ｂに係る先端部は、開口３１３，３１４の周囲部分３１３ａ，３１４ａに接触して塑性変形する。従って、リブ４６２の先端部は、潰れた状態で周囲部分３１３ａ，３１４ａに当接した状態となる。
【００９３】
尚、本実施形態では、ケース側壁部３１２における開口３１３，３１４の周囲部分３１３ａ，３１４ａは、第２実施形態と同様、平らな状態となっている（図１１（ａ）（ｂ））。
【００９４】
（２）効果
（Ａ）
本実施形態に係る閉鎖弁カバー４０６によると、閉鎖弁カバー４０６がケース側壁部３１２に装着された際、リブ４６２は、ケース側壁部３１２における開口３１３，３１４の周囲部分３１３ａ，３１４ａに押し当てられて塑性変形する。これにより、リブ４６２は、ケース側壁部３１２における開口３１３，３１４の周囲部分３１３ａ，３１４ａと完全に当接した状態となり、リブ４６２とケース側壁部３１２との間には隙間がほぼない状態となる。従って、外部からケーシング３１内部に浸入しようとする水は、リブ４６２によってせき止められる。
【００９５】
（Ｂ）
また、本実施形態に係る閉鎖弁カバー４０６によると、リブ４６２の先端部側である第２部分４６２ｂの横断面は、カバー本体４６１側である第１部分４６２ａの横断面よりも小さい。そのため、閉鎖弁カバー４０６がケース側壁部３１２に装着された際、リブ４６２は、ケース側壁部３１２における開口３１３，３１４の周囲部分３１３ａ，３１４ａに押し当てられ、より塑性変形し易くなる。
【００９６】
尚、本実施形態では、図１１及び図１２に示すように、リブ４６２が先端部分の尖った形状を有している場合について説明した。しかし、本実施形態に係るリブ４６２は、開口３１３，３１４の周囲部分３１３ａ，３１４ａに押し当てられて塑性変形し、リブ４６２とカバー本体４６１との隙間がなくなればよい。従って、リブ４６２の形状は、図１１及び図１２に係る形状には限定されず、第２部分４６２ｂが第１部分４６２ａよりも横断面が小さいという条件を満たす場合のように、塑性変形し易い形状であればよい。
【００９７】
＜その他の実施形態＞
（ａ）
上記第１実施形態〜第４実施形態では、リブが弾性変形を行う場合について説明した。弾性変形するリブのその他の例としては、図１３に示すように、リブ５６２が、予め所定の曲率半径で湾曲して延びている場合が挙げられる。このリブ５６２によると、閉鎖弁カバー５０６がケース側壁部に装着された際、リブ５６２はより弾性変形し易くなる。
【００９８】
（ｂ）
上記第４実施形態では、リブ３６２が薄肉状に形成されている場合について説明した。しかし、リブは、第４実施形態以外の実施形態（つまり、第１〜第３実施形態、第５実施形態）においても、薄肉状に形成されていてもよい。
【００９９】
（ｃ）
上記第１〜第５実施形態では、カバー本体及びリブが一体成形されていると説明した。しかし、カバー本体及びリブは、一体成形されるのではなく、個々に成形されてもよい。
【０１００】
また、上記第１〜第４実施形態では、カバー本体及びリブがエラストマー製の樹脂で形成され、上記第５実施形態では、カバー本体及びリブが合成樹脂で形成されると説明した。しかし、第１〜第４実施形態ではリブが弾性変形を行い、第５実施形態ではリブが塑性変形を行えばよく、カバー本体及びリブの材質は、これらに限定されない。
【０１０１】
（ｄ）
上記第１〜第５実施形態では、閉鎖弁カバー４０６が、２つの開口３１３，３１４を共に塞ぐ場合について説明した。しかし、２つの開口３１３，３１４を１つのカバーで塞ぐのではなく、開口３１３を塞ぐ開口カバーと、開口３１４を塞ぐ開口カバーとが、それぞれ別々に設けられても良い。
【０１０２】
（ｅ）
上記第１〜第５実施形態では、本発明に係る開口カバーが、空気調和装置に係る閉鎖弁カバーとして利用される場合について説明した。しかし、本発明に係る開口カバーの利用形態は、これに限定されるのではなく、例えば給湯機に係る室外ユニットにおいて、該ユニット内部に収納された電装品ユニット付近に設けられた開口を塞ぐためのカバーとして利用されてもよい。
【産業上の利用可能性】
【０１０３】
本発明に係る室外ユニットの開口カバーは、従来の開口カバーよりあるリブを利用することにより、開口カバーのみによって、安価に、開口を介してケーシング内部に水が浸入するのを防ぐことができる。従って、本発明に係る室外ユニットは、空気調和装置や給湯機において、当該ユニット本体内部に収納された電装品付近の開口を塞ぐための開口カバーとして適用することができる。
【図面の簡単な説明】
【０１０４】
【図１】第１実施形態に係る空気調和装置の外観図。
【図２】第１実施形態に係る室外ユニットにおいて、ケーシングの一部が取り外された室外ユニットの外観図。
【図３】第１実施形態に係る室外ユニットにおいて、ケーシング全てが取り外された室外ユニットの外観図。
【図４】第１実施形態に係る閉鎖弁カバーの外観図。
【図５】図４の閉鎖弁カバーのＶ−Ｖ断面を、閉鎖弁カバーの上側から見た場合の図。
【図６】（ａ）第１実施形態に係る閉鎖弁カバーが開口に取り付けられる前の、閉鎖弁カバーの断面概略図。  （ｂ）第１実施形態に係る閉鎖弁カバーが開口に取り付けられた際の、閉鎖弁カバーの断面概略図。
【図７】（ａ）第２実施形態に係る閉鎖弁カバーが開口に取り付けられる前の、閉鎖弁カバーの断面概略図。  （ｂ）第２実施形態に係る閉鎖弁カバーが開口に取り付けられた際の、閉鎖弁カバーの断面概略図。
【図８】（ａ）第３実施形態に係る閉鎖弁カバーが開口に取り付けられる前の、閉鎖弁カバーの断面概略図。  （ｂ）第３実施形態に係る閉鎖弁カバーが開口に取り付けられた際の、閉鎖弁カバーの断面概略図。
【図９】第３実施形態に係る閉鎖弁カバーの変形例を説明するための図。
【図１０】（ａ）第４実施形態に係る閉鎖弁カバーが開口に取り付けられる前の、閉鎖弁カバーの断面概略図。  （ｂ）第４実施形態に係る閉鎖弁カバーが開口に取り付けられた際の、閉鎖弁カバーの断面概略図。
【図１１】（ａ）第５実施形態に係る閉鎖弁カバーが開口に取り付けられる前の、閉鎖弁カバーの断面概略図。  （ｂ）第５実施形態に係る閉鎖弁カバーが開口に取り付けられた際の、閉鎖弁カバーの断面概略図。
【図１２】第５実施形態に係るリブの拡大図。
【図１３】その他の実施形態（ａ）に係るリブの拡大図。
【符号の説明】
【０１０５】
１  空気調和装置
３  室外ユニット
５  電装品ユニット
６  閉鎖弁カバー
３１  ケーシング
６１  カバー本体
６２  リブ
３１１  ケース本体
３１２  ケース側壁部
３１３，３１４  開口
３１３ａ，３１４ａ  周囲部分
３１３ｂ，３１４ｂ  当接部分
４６２ａ  リブの第１部分
４６２ｂ  リブの第２部分
【図１】
2010151412.tif 000003
【図２】
2010151412.tif 000004
【図３】
2010151412.tif 000005
【図４】
2010151412.tif 000006
【図５】
2010151412.tif 000007
【図６】
2010151412.tif 000008
【図７】
2010151412.tif 000009
【図８】
2010151412.tif 000010
【図９】
2010151412.tif 000011
【図１０】
2010151412.tif 000012
【図１１】
2010151412.tif 000013
【図１２】
2010151412.tif 000014
【図１３】
2010151412.tif 000015